(57)【要約】運動動作監視システムは、動作データを検出するためのおよび／またはユーザに所望の情報を表示するための構成要素を含む。電子インターフェースシステムは、動作検出システムからディスプレイ装置へのデータの転送を容易にし、例えば公知であり、市販されている従来の電子ディスプレイ装置{例えば携帯電話、PDA、ページャー、ビーパ、MP3または他のオーディオプレーヤ、ラジオ、ポータブルテレビ、ポータブルDVDプレーヤ、他のビデオ再生装置、時計など)を含む電子ディスプレイ装置上での運動動作データの表示を可能にする。検出システム、並びにそれに関連する任意のデータ転送システムは、履物品、衣類品、運動用具の部分などの一部として含むことができ、またはインターフェース装置の一部として含むことさえもできる。ポータブルシステムはセンサ手段、ハウジング、データ転送システム、データ入力システム、インターフェース、データ出力システム、例えばディスプレイを含む。出力システムはポータブル電子装置の入力ポートを解除可能に係合するための接続システムを含む。2009502325.tif 000003
2009502325.tif 000002
【特許請求の範囲】
【請求項１】
ハウジングシステムと、
ハウジングシステムに少なくとも部分的に含まれるか、または係合され、一つまたは複数の外部データソースから入力データを受信するように適応された入力システムであって、入力データが、運動動作中に収集された物理的もしくは生理学的データを含むか、またはそれから導き出される、入力システムと、
ハウジングシステムに少なくとも部分的に含まれるか、または係合され、ポータブル電子装置の入力ポートを解除可能に係合するための少なくとも一つの接続要素を含む接続システムを含み、ポータブル電子装置に出力データを提供するように適応された出力システムであって、出力データが、入力データの少なくとも一部、または入力データの少なくとも一部から少なくとも部分的に導き出されたデータを含む、出力システムとを含む、
電子インターフェース装置。
【請求項２】
接続システムが、ポータブル電子装置から電子インターフェース装置に電力を供給するように適応された電源コネクタをさらに含む、請求項1記載の電子インターフェース装置。
【請求項３】
接続システムが、ユニバーサルシリアルバス接続要素を含む、請求項1記載の電子インターフェース装置。
【請求項４】
入力データを受信して出力システムに出力データを供給するための、ハウジングシステムに少なくとも部分的に含まれる処理システム
をさらに含む、請求項1記載の電子インターフェース装置。
【請求項５】
処理システムが、出力システムに出力データを送信する前に、入力データの少なくとも一部に処理を行なう、請求項4記載の電子インターフェース装置。
【請求項６】
入力データの少なくとも一部、または入力データの少なくとも一部から少なくとも部分的に導き出されたデータを格納するための、ハウジングシステムに少なくとも部分的に含まれるメモリ
をさらに含む、請求項4記載の電子インターフェース装置。
【請求項７】
入力システムが、少なくとも一つの外部データソースから入力データを受信するためのワイヤレスデータ受信システムを含む、請求項1記載の電子インターフェース装置。
【請求項８】
入力システムが、外部接続要素を受けるための入力ポートを含み、外部接続要素が、少なくとも一つの外部データソースから入力システムに入力データを転送するために入力システムと接続する、請求項1記載の電子インターフェース装置。
【請求項９】
入力データの少なくとも一部、または入力データの少なくとも一部から少なくとも部分的に導き出されたデータを格納するための、ハウジングシステムに少なくとも部分的に含まれるメモリ
をさらに含む、請求項1記載の電子インターフェース装置。
【請求項１０】
出力システムまたは入力システムの少なくとも一つに電力を提供するための、ハウジングシステムに少なくとも部分的に含まれる電源
をさらに含む、請求項1記載の電子インターフェース装置。
【請求項１１】
ユーザ入力情報を受信するための、ハウジングシステム内またはその上に少なくとも部分的に含まれるユーザ入力システム
をさらに含む、請求項1記載の電子インターフェース装置。
【請求項１２】
ユーザ入力システムが、一つまたは複数のハードまたはソフト入力ボタンを含む、請求項11記載の電子インターフェース装置。
【請求項１３】
ユーザ入力システムが、音声コマンド入力システムを含む、請求項11記載の電子インターフェース装置。
【請求項１４】
ユーザ入力システムが、スタイラス入力を受信するためのディジタイザを含む、請求項11記載の電子インターフェース装置。
【請求項１５】
運動動作に関連した物理的または生理学的データを検出するための検出装置と、
動作データを送信するための、検出装置と連絡しているデータ転送システムであって、動作データが、物理的もしくは生理学的データの少なくとも一部、または物理的もしくは生理学的データの少なくとも一部から少なくとも部分的に導き出されたデータを含む、データ転送システムと、
動作データを受信するための、データ転送システムと連絡している入力システムと、
ポータブル電子装置の入力ポートを解除可能に係合するための少なくとも一つの接続要素を含む接続システムを有し、ポータブル電子装置にディスプレイデータを提供するように適応された出力システムであって、ディスプレイデータが、動作データの少なくとも一部、または動作データから少なくとも部分的に導き出されたデータを含む、出力システムとを含む、
電子インターフェース装置とを含む、
運動動作監視システム。
【請求項１６】
電子インターフェース装置が、入力システムを介して動作データを受信し、出力システムにディスプレイデータを供給するための処理システムをさらに含む、請求項15記載の運動動作監視システム。
【請求項１７】
入力システムが、ワイヤレスデータ受信システムを含み、データ転送システムが、ワイヤレスデータ受信システムと連絡しているワイヤレスデータ送信システムを含む、請求項16記載の運動動作監視システム。
【請求項１８】
入力システムが、ワイヤレスデータ受信システムを含み、データ転送システムが、ワイヤレスデータ受信システムと連絡しているワイヤレスデータ送信システムを含む、請求項15記載の運動動作監視システム。
【請求項１９】
入力システムが、入力ポートを含み、データ転送システムが、入力ポートに解除可能に接続された接続装置を含む、請求項15記載の運動動作監視システム。
【請求項２０】
電子インターフェース装置が、動作データまたはディスプレイデータの少なくとも一部を格納するためのメモリをさらに含む、請求項15記載の運動動作監視システム。
【請求項２１】
履物品をさらに含み、検出装置が該履物品の中または上に実装されている、請求項15記載の運動動作監視システム。
【請求項２２】
衣類品をさらに含み、検出装置が該衣類品の中または上に実装されている、請求項15記載の運動動作監視システム。
【請求項２３】
運動用具の部分をさらに含み、検出装置が該運動用具の部分の中または上に実装されている、請求項15記載の運動動作監視システム。
【請求項２４】
検出装置およびデータ転送システムを保持するためのハウジング
をさらに含む、請求項15記載の運動動作監視システム。
【請求項２５】
ハウジングが、ユーザの衣類、履物、もしくは身体に、または運動用具の部分に取り付けるための装置を含む、請求項24記載の運動動作監視システム。
【請求項２６】
検出装置が、ユーザ速度データ、ユーザ距離データ、GPSデータ、高度データ、ルートデータ、ユーザステップ回数データ、接触表面衝撃力データ、周囲温度データ、周囲湿度データ、気圧データ、靴底部材圧縮データ、およびジャンプ高さデータからなる群より選択される少なくとも一つの項に関する情報を検知する、請求項15記載の運動動作監視システム。
【請求項２７】
検出装置が、脈拍数データ、心拍数データ、血圧データ、体温データ、水分レベルデータ、空気吸入率または吸入量データ、空気吐出率または吐出量データ、EKGデータ、およびEEGデータからなる群より選択される少なくとも一つの項に関する情報を検知する、請求項15記載の運動動作監視システム。
【請求項２８】
電子インターフェース装置が、ユーザ入力情報を受信するためのユーザ入力システムをさらに含む、請求項15記載の運動動作監視システム。
【請求項２９】
一つまたは複数の外部データソースから動作データを受信するように適応された入力システムであって、動作データが、運動動作中に収集された物理的もしくは生理学的データを含むかまたはそれから導き出される、入力システムと、
少なくとも一つの物理的接続要素を有する接続システムを含む出力システムとを含む、
電子インターフェース装置と、
接続要素に解除可能に接続されたポータブルディスプレイ装置であって、出力システムが、接続システムを介してポータブルディスプレイ装置にディスプレイデータを提供し、ディスプレイデータが、動作データの少なくとも一部、または動作データの少なくとも一部から少なくとも部分的に導き出されたデータを含む、ポータブルディスプレイ装置とを含む、
運動動作監視システム。
【請求項３０】
電子インターフェース装置が、動作データを受信し、接続システムにディスプレイデータを供給するための処理システムをさらに含む、請求項29記載の運動動作監視システム。
【請求項３１】
入力システムが、少なくとも一つの外部データソースから動作データを受信するためのワイヤレスデータ受信システムを含む、請求項29記載の運動動作監視システム。
【請求項３２】
電子インターフェース装置が、動作データまたはディスプレイデータの少なくとも一部を格納するためのメモリをさらに含む、請求項29記載の運動動作監視システム。
【請求項３３】
ポータブルディスプレイ装置が、ディスプレイ画面を含む、請求項29記載の運動動作監視システム。
【請求項３４】
ポータブルディスプレイ装置が、オーディオプレーヤを含む、請求項29記載の運動動作監視システム。
【請求項３５】
ポータブルディスプレイ装置が、英数字ディスプレイ装置を含む、請求項29記載の運動動作監視システム。
【請求項３６】
ポータブルディスプレイ装置が、ビデオディスプレイ装置を含む、請求項29記載の運動動作監視システム。
【請求項３７】
ポータブルディスプレイ装置が、オーディオ／ビデオディスプレイ装置を含む、請求項29記載の運動動作監視システム。
【請求項３８】
ポータブルディスプレイ装置が、携帯電話を含む、請求項29記載の運動動作監視システム。
【請求項３９】
ポータブルディスプレイ装置が、MP3プレーヤを含む、請求項29記載の運動動作監視システム。
【請求項４０】
ポータブルディスプレイ装置が、既製のオーディオまたはビデオ通信装置を含む、請求項29記載の運動動作監視システム。
【請求項４１】
電子インターフェース装置が、ユーザ入力情報を受信するためのユーザ入力システムをさらに含む、請求項29記載の運動動作監視システム。
【請求項４２】
運動動作に関連した物理的または生理学的データを検出するための検出装置と、
動作データを送信するための、検出装置と連絡しているデータ転送システムであって、動作データが、物理的もしくは生理学的データの少なくとも一部、または物理的もしくは生理学的データの少なくとも一部から少なくとも部分的に導き出されたデータを含む、データ転送システムと、
データ転送システムと連絡しており、そこから動作データを受信するように適応された入力システムと、
少なくとも一つの接続要素を含む接続システムを有する出力システムとを含む、
電子インターフェース装置と、
接続要素に解除可能に接続されたポータブルディスプレイ装置であって、出力システムが、接続システムを介してポータブルディスプレイ装置にディスプレイデータを提供し、ディスプレイデータが、動作データの少なくとも一部、または動作データの少なくとも一部から少なくとも部分的に導き出されたデータを含む、ポータブルディスプレイ装置とを含む、
運動動作監視システム。
【請求項４３】
履物品をさらに含み、検出装置が該履物品の中または上に実装されている、請求項42記載の運動動作監視システム。
【請求項４４】
衣類品をさらに含み、検出装置が該衣類品の中または上に実装されている、請求項42記載の運動動作監視システム。
【請求項４５】
運動用具の部分をさらに含み、検出装置が該運動用具の部分の中または上に実装されている、請求項42記載の運動動作監視システム。
【請求項４６】
検出装置およびデータ転送システムを保持するためのハウジング
をさらに含む、請求項42記載の運動動作監視システム。
【請求項４７】
ハウジングが、ユーザの衣類、履物、もしくは身体に、または運動用具の部分に取り付けるための装置を含む、請求項46記載の運動動作監視システム。
【請求項４８】
検出装置が、ユーザ速度データ、ユーザ距離データ、GPSデータ、高度データ、ルートデータ、ユーザステップ回数データ、接触表面衝撃力データ、周囲温度データ、周囲湿度データ、気圧データ、靴底部材圧縮データ、およびジャンプ高さデータからなる群より選択される少なくとも一つの項に関する情報を検知する、請求項42記載の運動動作監視システム。
【請求項４９】
検出装置が、脈拍数データ、心拍数データ、血圧データ、体温データ、水分レベルデータ、空気吸入率または吸入量データ、空気吐出率または吐出量データ、およびEKGデータ、EEGデータからなる群より選択される少なくとも一つの項に関する情報を検知する、請求項42記載の運動動作監視システム。
【請求項５０】
データ転送システムが、ワイヤレスデータ送信装置を含み、入力システムが、ワイヤレスデータ送信装置と連絡しているワイヤレスデータ受信装置を含む、請求項42記載の運動動作監視システム。
【請求項５１】
ポータブルディスプレイ装置が、ディスプレイ画面を含む、請求項42記載の運動動作監視システム。
【請求項５２】
ポータブルディスプレイ装置が、オーディオプレーヤを含む、請求項42記載の運動動作監視システム。
【請求項５３】
ポータブルディスプレイ装置が、オーディオ／ビデオディスプレイ装置を含む、請求項42記載の運動動作監視システム。
【請求項５４】
ポータブルディスプレイ装置が、携帯電話を含む、請求項42記載の運動動作監視システム。
【請求項５５】
ポータブルディスプレイ装置が、MP3プレーヤを含む、請求項42記載の運動動作監視システム。
【請求項５６】
ポータブルディスプレイ装置が、既製のオーディオまたはビデオ通信装置を含む、請求項42記載の運動動作監視システム。
【請求項５７】
ハウジングシステムと、
運動動作に関連した物理的または生理学的データを検出するための、ハウジングシステム内またはその上に少なくとも部分的に含まれる検出装置と、
動作データを送信するための、検出装置と連絡しているデータ転送システムであって、動作データが、物理的もしくは生理学的データの少なくとも一部、または物理的もしくは生理学的データの少なくとも一部から少なくとも部分的に導き出されたデータを含む、データ転送システムと、
ハウジングシステムに少なくとも部分的に係合され、ポータブル外部電子装置の入力ポートを解除可能に係合するための少なくとも一つの接続要素を含む接続システムを含み、ポータブル電子装置にディスプレイデータを提供するように適応された出力システムであって、ディスプレイデータが、データ転送システムからの動作データの少なくとも一部、または動作データから少なくとも部分的に導き出されたデータを含む、出力システムとを含む、
運動動作監視システム。
【請求項５８】
動作データを受信し、出力システムにディスプレイデータを供給するための、ハウジングシステム内またはその上に少なくとも部分的に含まれる処理システム
をさらに含む、請求項57記載の運動動作監視システム。
【請求項５９】
動作データまたはディスプレイデータの少なくとも一部を格納するための、処理システムと連絡しているメモリ
をさらに含む、請求項58記載の運動動作監視システム。
【請求項６０】
データ転送システムが、ワイヤまたはピン接続要素を含む、請求項57記載の運動動作監視システム。
【請求項６１】
動作データまたはディスプレイデータの少なくとも一部を格納するための、ハウジングシステム内またはその上に少なくとも部分的に含まれるメモリ
をさらに含む、請求項57記載の運動動作監視システム。
【請求項６２】
ハウジングシステムが、ユーザの衣類、履物、もしくは身体に、または運動用具の部分に取り付けるための装置を含む、請求項57記載の運動動作監視システム。
【請求項６３】
検出装置が、ユーザ速度データ、ユーザ距離データ、GPSデータ、高度データ、ルートデータ、ユーザステップ回数データ、周囲温度データ、周囲湿度データ、および気圧データからなる群より選択される少なくとも一つの項に関する情報を検知する、請求項57記載の運動動作監視システム。
【請求項６４】
検出装置が、脈拍数データ、心拍数データ、血圧データ、体温データ、水分レベルデータ、空気吸入率または吸入量データ、空気吐出率または吐出量データ、EKGデータ、およびEEGデータからなる群より選択される少なくとも一つの項に関する情報を検知する、請求項57記載の運動動作監視システム。
【請求項６５】
ユーザ入力情報を受信するための、ハウジングシステム内またはその上に少なくとも部分的に備えられたユーザ入力システム
をさらに含む、請求項57記載の運動動作監視システム。
【請求項６６】
接続要素に解除可能に接続されたポータブルディスプレイ装置であって、出力システムが、接続システムを介してポータブルディスプレイ装置にディスプレイデータを提供し、ディスプレイデータが、動作データの少なくとも一部、または動作データの少なくとも一部から少なくとも部分的に導き出されたデータを含む、ポータブルディスプレイ装置、
をさらに含む、請求項57記載の運動動作監視システム。
【請求項６７】
接続システムが、ポータブルディスプレイ装置から、検出装置、データ転送システム、または出力システムの少なくとも一つに電力を供給するための電源コネクタを含む、請求項66記載の運動動作監視システム。
【請求項６８】
ポータブルディスプレイ装置が、ディスプレイ画面を含む、請求項57記載の運動動作監視システム。
【請求項６９】
ポータブルディスプレイ装置が、オーディオプレーヤを含む、請求項57記載の運動動作監視システム。
【請求項７０】
ポータブルディスプレイ装置が、オーディオ／ビデオディスプレイ装置を含む、請求項57記載の運動動作監視システム。
【請求項７１】
ポータブルディスプレイ装置が、携帯電話を含む、請求項57記載の運動動作監視システム。
【請求項７２】
ポータブルディスプレイ装置が、MP3プレーヤを含む、請求項57記載の運動動作監視システム。
【請求項７３】
ポータブルディスプレイ装置が、既製のオーディオまたはビデオ通信装置を含む、請求項57記載の運動動作監視システム。
【発明の詳細な説明】
【技術分野】
【０００１】
発明の分野
本発明は、一般に運動動作監視システムに関する。そのようなシステムは、運動動作データを検出するためのおよび／またはユーザに所望の情報を表示するための構成要素を含むことができる。本発明の少なくともいくつかの局面による電子インターフェースシステムは、例えば、データ入力、格納、分析、および／または、公知のおよび市販されている従来の電子ディスプレイ装置(例えば、通常、運動動作データを表示するように設計および適応されていない装置)を含む電子ディスプレイ装置またはそれによる表示を可能にするために、動作検出システムから処理システムおよび／またはディスプレイ装置への運動動作データの転送を容易にする。
【背景技術】
【０００２】
背景
現代の技術は、ユーザが絶えず互いに連絡を取り合い、楽しみ、かつ情報提供される多様な種類の異なる電子装置および／または通信装置を発達させてきた。携帯電話、携帯情報端末(「PDA」)、ページャー(pager)、ビーパ、MP3または他のオーディオプレーヤ、ラジオ、ポータブルテレビ、DVDプレーヤまたは他のビデオ再生装置、時計、GPSシステムなどのような多様なポータブル電子装置が、これらの目的に利用可能である。多くの人は、練習および／または運動競技に参加する場合、例えば、他の人と連絡を保つため(例えば悪天候、怪我、緊急の場合に、コーチまたはトレーナに連絡するためなど)、楽しむため、情報(例えば時間、方向、位置など)を提供するためなどに、一つまたは複数のこれらのタイプの装置を携行することを好む。
【０００３】
運動動作監視システムはまた、電子装置技術における近年の発展からの恩恵を受けている。電子的な動作監視装置は、例えば、速度および距離データ、高度データ、GPSデータ、心拍数、脈拍数、血圧データ、体温などを含む、練習または他の運動動作に関連した多くの物理的または生理学的特性の、簡単で便利な監視を可能にする。そのようなデータは運動動作中に収集することができる一方、動作中にユーザにこの情報を提供し、かつ／または動作中にユーザがデータおよび／またはセンサを使用し、やり取りできるようにすることは、さらに問題になる可能性がある。例えば、運動動作中に追加のディスプレイ装置を持ち運ぶことをユーザに要求することは、ユーザが持ち運びたい一つまたは複数の他のポータブル電子装置(例えば上に記述されたタイプの)などを既に有していることがよくあるため、そのような装置を運ぶことによる重さ、使いにくさ、複雑さ、および不便さのため、望ましくない場合がある。さらに、専用の運動動作モニタおよび／またはディスプレイ装置を備える際に、かなりの費用が必要とされるかもしれない。
【発明の開示】
【０００４】
概要
本発明の局面は、運動動作監視システムに関する。そのようなシステムは、運動動作データを測定または検出するための、および／またはユーザ(または他のもの)に、運動動作と関連した所望の情報を表示するための構成要素を含むことができる。電子インターフェースシステムまたは装置は、検出システムからのディスプレイ装置への運動動作データの転送を容易にするように、例えば、公知であり市販されている従来の電子ディスプレイ装置(例えば携帯電話、PDA、ページャー、ビーパ、MP3または他のオーディオプレーヤ、ラジオ、ポータブルテレビ、ポータブルDVDプレーヤ、他のビデオ再生装置、時計など)を含む任意の電子ディスプレイ装置上での運動動作データの表示を可能にするように提供されうる。
【０００５】
本発明の局面は、上に記述されたタイプの電子インターフェース装置、ならびにそれらが使用されるシステムおよび方法を含むことができる。そのようなシステムおよび方法は、(a) 練習または運動動作に関連した物理的および／または生理学的データを検出するための検出装置、(b) 物理的もしくは生理学的データの少なくとも一部、または物理的もしくは生理学的データの少なくとも一部から少なくとも部分的に導き出されたデータを含む動作データを送信するために検出装置と連絡しているデータ転送システム、(c) 電子インターフェース装置、および／または (d) インターフェース装置に解除可能に接続され、電子インターフェース装置が、動作データ、または動作データの少なくとも一部から少なくとも部分的に導き出されたデータの少なくとも一部を含むディスプレイデータをポータブルディスプレイ装置に提供する、ポータブルディスプレイ装置を含むことができる。電子インターフェース装置は、例えば、データ転送システムと連絡しており、そこから動作データを受信するように適応された入力システム、およびディスプレイ装置に物理的に接続するための少なくとも一つの接続要素を含む接続システムを有する出力システムを含むことができる。電子インターフェース装置の接続要素は、公知であり、市販されている電子ディスプレイ装置で使用されている従来の入力ポートを含むディスプレイ装置に備えられた、既存のポートまたはジャック(例えばユニバーサルシリアルバスポート、パラレルポート、または他のデータまたは電力／充電入力ポート)に物理的にプラグ接続することができる。
【０００６】
望ましい場合、運動動作データ検出装置、およびそれに関連する任意のデータ転送システムは、実装されてもよく(例えば、クリップ、クランプ、面ファスナ、他のファスナまたは機械的構造、接着剤などを介して)、かつ／または履物品(例えば靴底部材中などに、運動靴品の中またはその一部として一体形成される)、衣類品、運動用具の部分などの一部として含まれてもよい。同様に、本発明の少なくともいくつかの例によれば、検出装置およびその関連するデータ転送システムは、もしあれば、任意で共通の電源、コネクタなどを共有して、単一の全体構造または構成要素の一部として含まれてもよく、例えば、共通のハウジングまたは単一の基板上に実装され、互いに接続または結合などされてもよい。
【０００７】
詳細な説明
以下に続く本発明の様々な例の記述において、本明細書の一部を形成し、本発明の局面を使用して実行することができる様々な構造、態様、および例を図示することによって示す添付図面が参照される。その他の態様が利用されてもよく、構造および機能的変更が、本発明の範囲から外れることなく加えられてもよいことが理解されよう。
【０００８】
I. 本発明の局面の一般的記述
本発明の局面は、一般に、運動動作監視、例えば、運動競技、練習ルーチン、または他の物理的なまたは運動動作に関連した物理的および／または生理学的データを測定し、処理し、格納し、および／または表示するための運動動作監視に使用されるシステムおよび装置に関する(用語「運動動作」は、本明細書では、任意のタイプの運動競技、練習、訓練、ルーチンなどを総称して参照するために使用される)。本発明のさらなるいくつかの特別の局面は、運動動作情報および／またはデータを表示し、さらに処理し、および／または格納することを可能にするために、ディスプレイ装置に運動動作データを提供するシステムおよび方法に関する。本発明の少なくともいくつかの例によれば、ディスプレイ装置は、従来のおよび市販の電子オーディオ装置、ビデオ装置、および／または英数字ディスプレイ装置(例えば携帯電話、時計、PDA、ページャー、MP3プレーヤ、オーディオプレーヤ、ラジオ、ポータブルテレビ、ポータブルDVDプレーヤ、ビデオ再生装置など)でもよい。本発明の少なくともいくつかの例は、(a) 運動動作検出システムからデータを受け取るための、および (b)ディスプレイ装置にデータを送信するための、「アダプタ」または他のインターフェースシステムもしくは装置（データを所望の形態またはフォーマットにするため（例えば、ディスプレイ装置に即座に表示するため、格納のためなど）の何らかの介在プロセスを任意で備える）を含むことができる。インターフェースシステムまたは装置は、公知であり、市販されている電子ディスプレイ装置で使用される従来の入力ポートを含むディスプレイ装置に備えられる既存のポートまたはジャック(例えばユニバーサルシリアルバスポート、シリアルポート、パラレルポート、または他のデータまたは電力／充電入力ポート)に物理的にプラグ接続することができる。この任意の特徴は、それが従来の電子ディスプレイ装置(例えば上に記述されたタイプの)の所有者に、運動動作中に(例えば、ウォーキング中に、ランニング中に、自転車に乗っているときに、漕いでいるときになど)収集された物理的または生理学的データを表示し、格納し、かつ／または再送信する能力を提供し、ユーザが、携帯電話のディスプレイ上で動作データ(例えば速度、距離、心拍数など)を閲覧することができ、かつ／または携帯電話またはオーディオ性能を備えた他の装置等に接続されたヘッドホンを介してオーディオ情報を受信することができるという利点を有する。
【０００９】
本発明の局面の、より具体的な例を以下に示す。
【００１０】
A. 電子インターフェース装置
本発明の第一の局面は、例えば、上に記述された様々な従来のおよび市販されている電子ディスプレイ装置のような電子ディスプレイ装置への物理的接続に適した電子インターフェース装置に関する。そのようなインターフェース装置は、例えば、(a) ハウジングシステムと、(b) ハウジングシステムに少なくとも部分的に係合され、一つもしくは複数の外部データソースから入力データを受信するように適応され、入力データが練習または運動動作中に収集された物理的および／もしくは生理学的データを含み、かつ／またはそれから導き出される、入力システムと、(c) ハウジングシステムと少なくとも部分的に係合され、ポータブル外部電子装置の入力ポートを物理的および解除可能に係合するための少なくとも一つの接続要素を含む接続システムを含み、ポータブル外部電子装置に出力データを提供するように適応された出力システムであって、出力データが入力データの少なくとも一部、または入力データの少なくとも一部から少なくとも部分的に導き出されたデータを含む、出力システムとを含むことができる。
【００１１】
様々な他の要素または構成要素が、望ましい場合、本発明の少なくともいくつかの例による、電子インターフェース装置に含まれていてもよい。例えば、本発明の少なくともいくつかの例による電子インターフェース装置は、さらに、入力データを受信するための、および／または出力システムに出力データを供給する(任意で、データを別の形態に変換した後、または他のデータ処理の後)ための、任意でハウジングシステム内に少なくとも部分的に配置されるかまたはそれと係合された処理システムを含んでいてもよい。本発明の少なくともいくつかの例による電子インターフェース装置は、さらに、入力データの少なくとも一部、または入力データの少なくとも一部から少なくとも部分的に導き出されたデータを格納するための、任意でハウジングシステム内に少なくとも部分的に配置されるかまたはそれと係合されたメモリシステムを含んでいてもよい。望ましい場合、データは、電子インターフェース装置に格納されてもよく、および、任意でダウンロード後またはコンピュータもしくは他の処理システムへの送信後に、後に分析するために(例えば練習後に分析するために)利用できるようにすることができる。さらに別の例として、望ましい場合、本発明の少なくともいくつかの例による電子インターフェース装置は、さらに、出力システムまたは入力システムの少なくとも一つに電力を提供するための、少なくとも部分的にハウジングシステム内にあるかまたはそれと係合された別個の電源(例えば充電式バッテリシステム、バッテリ電源、および／またはAC/DC電源入力)を含んでいてもよい。
【００１２】
B. 動作センサおよび電子インターフェース装置を含む運動動作監視システム
本発明の別の局面は、運動動作データを検出するためのセンサ、および、例えば上に一般的に記述されたタイプの電子インターフェース装置を含む運動動作監視システムに関する。そのような運動動作監視システムは、例えば、(a) 運動動作に関連した物理的または生理学的データを検出するための検出装置と、(b) 物理的もしくは生理学的データの少なくとも一部、または物理的もしくは生理学的データの少なくとも一部から少なくとも部分的に導き出されたデータを含む動作データを送信するために検出装置と連絡しているデータ転送システムと、(c) 電子インターフェース装置とを含むことができる。このシステム例の電子インターフェース装置は、例えば、動作データを受信するためにデータ転送システムと連絡している入力システムと、ポータブル電子ディスプレイ装置の入力ポートを物理的および解除可能に係合するための少なくとも一つの接続要素を含む接続システムを有し、ポータブル電子ディスプレイ装置に、動作データの少なくとも一部、または動作データから少なくとも部分的に導き出されたデータを含むディスプレイデータを提供するように適応された出力システムとを含むことができる。
【００１３】
本発明の少なくともいくつかの例による他の運動動作監視システムは、電子インターフェース装置と同じ構成要素内におよび／またはその一部として検出装置を含む。そのような運動動作監視システムは、例えば、(a) ハウジングシステムと、(b) 運動動作に関連した物理的または生理学的データを検出するための、ハウジングシステム内もしくはその上に少なくとも部分的に含まれるか、またはそうでなければそれと係合された検出装置と、(c) 物理的もしくは生理学的データの少なくとも一部、または物理的もしくは生理学的データの少なくとも一部から少なくとも部分的に導き出されたデータを含む動作データを送信するために検出装置と連絡しているデータ転送システムと、(d) ハウジングシステムと少なくとも部分的に係合され、ポータブル電子ディスプレイ装置の入力ポートに物理的および解除可能に係合するための少なくとも一つの接続要素を含む接続システムを含み、ポータブル電子ディスプレイ装置に、動作データの少なくとも一部、または動作データから少なくとも部分的に導き出されたデータを含むディスプレイデータを提供するように適応された出力システムとを含むことができる。
【００１４】
任意のタイプの運動動作データを検出して、本発明から外れることなく、任意の形態またはフォーマットで電子インターフェース装置に転送することができる。より具体的な例として、本発明の少なくともいくつかの例による運動動作監視システムは、ユーザ速度データ、ユーザ距離データ、GPSデータ、高度データ、ルートデータ、ユーザステップ回数データ、接触表面衝撃力データ、周囲温度データ、周囲湿度データ、気圧データ、靴底部材圧縮データ、ジャンプ高さデータ、脈拍数データ、心拍数データ、血圧データ、体温データ、空気吸入率または吸入量データ、空気吐出率または吐出量データ、EKGデータ、EEGデータ、血液ガスデータなどを検出および／または送信することができる。さらに、望ましい場合、例えば上に記述した様々な異なるタイプのデータの組み合わせを含む複数の異なるタイプのデータを検出し、かつ／または電子インターフェース装置に送信してもよい。任意で、電子インターフェース装置は、複数のデータセンサまたはソース（任意で一部のソースは、電子インターフェース装置、および／または電子インターフェース装置に含まれるかもしくはその一部として含まれる他のソースから独立している）から動作データを受信することができる。
【００１５】
C. 電子インターフェース装置およびディスプレイ装置を含む運動動作監視システム
本発明の別の局面は、電子ディスプレイ装置と組み合わせた(例えば物理的に接続された)、例えば上に一般的に記述されたタイプの電子インターフェース装置を含む運動動作監視システムに関する。そのようなシステムは、例えば、(a) (i) 運動動作中に収集された物理的もしくは生理学的データを含むかまたはそれから導き出された動作データを、一つまたは複数の外部データソースから受信するように適応された入力システムと、(ii) 少なくとも一つの物理的接続要素を有する接続システムを含む出力システムとを含む、電子インターフェース装置と、(b) 接続要素に解除可能に接続されるポータブルディスプレイ装置であって、出力システムが、接続システムを介してポータブルディスプレイ装置に動作データの少なくとも一部、または動作データの少なくとも一部から少なくとも部分的に導き出されたデータを含むディスプレイデータを提供する、ポータブルディスプレイ装置とを含むことができる。動作データまたは動作データから少なくとも部分的に導き出されたデータは、望ましい場合、運動動作が継続する間にリアルタイムでディスプレイ装置に表示することができ、かつ／または後でダウンロードしたり、使用したり、処理したり、かつ／または分析したりするために格納することができる(インターフェース装置またはディスプレイ装置に)。
【００１６】
望ましい場合、本発明の少なくともいくつかの例によれば、ディスプレイ装置の処理システムを使用して、データ転送システム(センサからインターフェース装置への)、データ受信システム、表示のためのディスプレイ装置へのデータ転送、データ格納(例えばディスプレイ装置および／または電子インターフェース装置に搭載されたメモリでの)、ユーザとのインターフェーシング、データ要求またはリクエストなどのような、電子インターフェース装置の稼働または動作データ検出システムの稼動でさえもを制御することができる。ディスプレイ装置は、例えばダウンロードされたソフトウェアを含み、電子インターフェース装置の様々な特徴および／または機能の制御を可能にすることができる(または、望ましい場合、ソフトウェアおよび／もしくは制御機能を、インターフェース装置を備えた処理システムのような電子インターフェース装置に保有された処理能力によって駆動させてもよい)。より具体的な例として、望ましい場合、ソフトウェアは、ディスプレイ装置またはインターフェース装置に積まれ、かつ／または後でダウンロードされるJavaアプリケーションを構成してもよい。さらなる例として、ユーザは、上に記述されたタイプのインターフェース装置を購入して、ソフトウェアを取得し(例えばインターフェース装置とともに購入したディスクとして、遠隔または外部ソースからダウンロードしてなど)、インターフェース装置を、ユーザによって使用される一つまたは複数の電子装置と正しく相互作用するようにフォーマットすることができる(例えば、ソフトウェアは、インターフェース装置がその出力をフォーマットして、ユーザによって使用される特定の携帯電話、PDA、MP3プレーヤなどのモデルの要求に対応させるように設計することができる)。同様に、望ましい場合、ディスプレイ装置から電子インターフェース装置に送られたコマンドを使用して、例えばインターフェース装置の電源をオンおよびオフし、無線トランシーバのパラメータおよび制御をセットアップし、他の機能または制御(例えば表示の好み、データ収集の好み、データアップデート、リフレッシュ、またはレポートレートなど)などをセットアップすることもできる。ディスプレイ装置は、同期または非同期で、電子インターフェース装置からデータを受信することを可能にすることができる。
【００１７】
上で言及したように、本発明の局面は、本発明から外れることなく、例えば公知であり市販されている従来のディスプレイ装置(本明細書で「既製の」オーディオまたはビデオ通信またはディスプレイ装置とも呼ばれる)を含む、任意のタイプのディスプレイ装置で実行することができる。適するディスプレイ装置のより具体的な例は、LED、LCDまたはプラズマディスプレイ画面のようなディスプレイ画面を備えた電子装置；時計；ラジオ、テーププレーヤ、CDプレーヤ、MP3プレーヤなどのようなポータブルオーディオ装置；ビーパ、ページャーなどのような英数字ディスプレイ装置；テレビ、DVDプレーヤなどのようなポータブルビデオまたはオーディオ／ビデオディスプレイ装置；携帯電話、ラジオなどのようなポータブル通信装置；携帯情報端末、ハンドトップまたはパームトップコンピューティングシステムなどのようなポータブルコンピューティングシステムを含む。
【００１８】
D. 検出装置、電子インターフェース装置およびディスプレイ装置を含む運動動作監視システム
本発明のさらなる別の局面は、運動動作データを検出するため、およびユーザ(または他のもの)に所望の情報を表示するための両方の構成要素を含む運動動作監視のためのシステムに関する。そのようなシステムは、(a) 運動動作に関連した物理的または生理学的データを検出するための検出装置と、(b) 物理的もしくは生理学的データの少なくとも一部、または物理的もしくは生理学的データの少なくとも一部から少なくとも部分的に導き出されたデータを含む動作データを送信するために、検出装置と連絡しているデータ転送システムと、(c) 電子インターフェース装置と、 (d) インターフェース装置に物理的および解除可能に接続されたポータブルディスプレイ装置であって、電子インターフェース装置がポータブルディスプレイ装置に、動作データの少なくとも一部、または動作データの少なくとも一部から少なくとも部分的に導き出されたデータを含むディスプレイデータを提供する、ポータブルディスプレイ装置とを含むことができる。電子インターフェース装置は、データ転送システムと連絡しており、そこから動作データを受信するように適応された入力システムと、ディスプレイ装置に接続するための少なくとも一つの物理的接続要素を含む接続システムを有する出力システムとをさらに含むことができる。
【００１９】
E. 本発明の他の特徴および局面
その他の多くの特徴および特性が、上に記述された本発明の様々な例の局面によって提供されうる。例えば、電子インターフェース装置の一部として含まれる接続システムは、本発明から外れることなく、様々な形式および／または形態を呈してもよい。より具体的な例として、接続システムは、例えば上に記述されたタイプの従来の電子装置の従来のデータまたは電力入力ポートに受けられ、またはそれと係合されるように設計されたプラグまたは他の要素を含んでいてもよい。そのような入力ポートは、シリアルポート、パラレルポート、ユニバーサルシリアルバスポート、電源／バッテリ充電ポート、データ入力ポートなどを含むことができる。望ましい場合、接続システムは一つまたは複数の電源コネクタをさらに含むことができ、ポータブルディスプレイ装置からの電源(例えばバッテリなど)に依存して、電子インターフェース装置の様々な装置を稼動させることもできる。そのようなシステムでは、電子インターフェース装置は、それ自身の独立した電源を含む必要はないので、電子インターフェース装置のサイズ、重さ、および費用の削減が可能になる。
【００２０】
電子インターフェース装置の任意のタイプの入力システムが、本発明から外れることなく提供されてもよい。より具体的な例として、入力システムは、少なくとも一つの外部データソースから(例えば、運動動作データを検出する検出装置から、コンピュータまたはネットワークから等)入力データを受信するためのワイヤレスデータ受信システム、有線または他の物理的接続システム(任意で、インターフェース装置に外部データソースをプラグ接続するための、一つまたは複数の接続要素が検出装置に備えられる)等を含むことができる。インターフェース装置フォーマットデータ(例えば特定の電子ディスプレイ装置へ送出する出力をフォーマットするためなど)、およびもしあれば、他のデータを、物理的もしくは生理学的データを受信することを可能にする同じ入力システムを介して、または望ましい場合別の入力システムを介して、インターフェース装置によって受信することができる。電子インターフェース装置は、任意でインターフェース装置のハウジングシステム内またはその上に、少なくとも部分的に、ユーザ入力システムを追加でもしくは代わりに、含んでいてもよい。ユーザ入力は、ある特定のディスプレイ情報のリクエスト、ある特定の検出情報のリクエスト、ディスプレイまたはセンサ制御情報、他のソースからのデータまたは情報のリクエストなどを入力するための、およびフォーマット情報(例えば特定のディスプレイ装置とともに作動するフォーマットで出力データを提供することを可能にするための対象の電子ディスプレイ装置を特定するなど)または他の情報などを提供するためのような任意の所望の目的のために、インターフェース装置で受信することができる。ユーザ入力システムの例は、ボタン(ハードまたはソフト)、音声コマンド入力システム、スタイラス入力コマンドシステム、タッチスクリーン入力コマンドシステム、スライドまたはスイッチシステムなどを含んでいてもよい。
【００２１】
運動動作データ(例えば運動動作に関連して検知された物理的または生理学的データ)を検出するための検出システムは、本発明から外れることなく、任意の所望の形式または構造で、および／または任意の所望のデータまたはパラメータを測定するために提供することができる。より具体的な例として、望ましい場合、検出システムおよび／または装置は、関連する任意のデータ転送システムとともに、履物品(例えば運動靴品に一体形成されるかまたはその一部として)、衣類品または衣料品、運動用具の部分などに(例えばクリップ、クランプ、面ファスナ、または他のファスナまたは機械的構造、接着剤などを介して)実装することができ、かつ／またはそれらの一部として含むことができる。望ましい場合、検出装置および任意の関連するデータ転送システムは、例えば共通のハウジングに実装されている、互いに接続されている等、単一構造の一部として含まれていてもよい。
【００２２】
II. 本発明の具体例
本発明の局面は上に一般的に記述されたが、以下の詳細な記述は、図1〜9とともに、本発明の例による電子インターフェース装置および運動動作監視システムならびに方法のより詳細な例を提供する。当業者には、当然ながら、以下の記述が本発明の例の記述を構成し、決して本発明を制限するものとして解釈されるべきでないことが理解されよう。
【００２３】
図1は、本発明の様々な局面を使用することができるシステムおよび環境の例を図示する。図1に示されるように、運動動作中の人物100は、その身体、その衣類、その履物、またはその用具に含まれる一つまたは複数の検出装置102(a)、102(b)、102(c)および102(d)を有することができる。これらの検出装置は、例えば運動動作と関連した物理的または生理学的データを含む、運動動作に関連したデータを検出することができる。いくつかのより具体的な例として、図1に図示された環境で、センサ102(a)および／または102(b)は、ステップ回数(例えば歩数計型の速度および／または距離測定のための)、GPSデータ、ステップ衝撃力データ(例えば能動的な衝撃減衰制御のための)、ジャンプ高さデータなどを検出することができ、センサ102(c)は、脈拍数、体温、血圧、水分レベルなどを検出することができ、センサ102(d)は、心拍数、EKGデータなどを検出することができる。当然ながら、任意の数のセンサを備えることができ、そのようなセンサが、本発明から外れることなく、任意の所望のタイプの運動動作情報を検出することができる。収集可能な運動動作に関連するデータの可能なタイプの例は、さらに、ユーザ速度データ、ユーザ距離データ、GPSデータ(例えば位置データ)、高度データ、ルートデータ、ユーザステップ回数データ、接触表面衝撃力データ、周囲温度データ、周囲湿度データ、気圧データ、靴底部材圧縮データ、ジャンプ高さデータ、脈拍数データ、心拍数データ、血圧データ、体温データ、水分レベルデータ、空気吸入率または吸入量データ、空気吐出率または吐出量データ、EKGデータ、EEGデータ、血液ガス含有量データなどを含むが、これらに限定されない。
【００２４】
様々なセンサ、例えば102(a)〜102(d)を、本発明から外れることなく、ポータブルにして、任意の所望の様式で人物100が持ち運ぶようにしてもよい。例えば、望ましい場合、一つまたは複数のセンサを履物品104の中またはその上に実装して(例えばこの例におけるセンサ102(a)および102(b)のように)、運動着品の中またはその上に備えられ(例えば、センサ102(c)を含むこの例におけるアームバンド106のように、シャツ、ショーツ、ズボン、ソックス、ヘッドバンドなどに)、および／または運動用具(例えば自転車、バット、ラケット、クラブ、車両、ボールなどのような)の部分とともに持ち運ぶことができる。さらなる例として、図1に図示されるように、検出装置102(d)は、例えば接着剤、バンド、フック、他の機械的コネクタなどによって、スポーツ選手100の身体に直接実装することができる。
【００２５】
検出システムおよび／または装置102(a)〜102(d)とともに、関連する任意のデータ転送システム(例えば図1に示されて、以下にさらに記述されたワイヤレス送信またはトランシーバ装置108(例えば無線トランシーバ))を、任意の所望の方法で、例えばクリップ、クランプ、接着剤、縫製を介して、ポケットに入れて、面ファスナまたは他のファスナまたは機械的構造を介してなどで、履物品、衣類品、運動用具品などに実装することができる。あるいは、望ましい場合、検出システムまたは装置102(a)〜102(d)は、本発明から外れることなく、履物品、衣類品、運動用具の部分などに一体形成され、および／またはその一部として含まれてもよい(例えば、任意で永続的に、または自由に取り外し可能な様式などで実装されてもよい)。望ましい場合、一つまたは複数の検出装置および関連するデータ転送システム108は、本発明から外れることなく、単一構造の一部として含まれてもよく、例えば共通のハウジングにおよび／または共通の基板上に実装され、互いに接続されてもよい。さらに、望ましい場合、ハウジング(もしあれば)は、稼動ライト(例えばLEDなど)または他のインジケータを装備して、例えば電力状態(例えばオン／オフ)、電源状態(例えば充電、バッテリの稼動)、データ受信および／または処理状態(例えばスタンバイ、受信、送信、処理など)、充電または再充電レベル状態などを示すことができる。
【００２６】
本発明の少なくともいくつかの例の局面によれば、運動動作に関連した物理的または生理学的データは、様々な検出装置(例えば装置102(a)〜102(d))によって収集され、ディスプレイ(および任意で格納、さらなる処理など)のためにディスプレイ装置110に送信されてもよい。例えば、従来のまたは「既製の」ディスプレイ装置110を含む任意のタイプのディスプレイ装置110が、本発明から外れることなく使用されてもよい。適するディスプレイ装置110のより具体的な例は、LED、LCDまたはプラズマディスプレイ画面のようなディスプレイ画面を備えた電子装置；時計；ラジオ、テーププレーヤ、CDプレーヤ、MP3プレーヤなどのようなポータブルオーディオ装置；ビーパ、ページャーなどのような英数字ディスプレイ装置；ポータブルテレビ、DVDプレーヤなどのようなポータブルビデオまたはオーディオ／ビデオディスプレイ装置；携帯電話、ラジオなどのようなポータブル通信装置；PDA、ハンドトップまたはパームトップコンピューティングシステムなどのようなポータブルコンピューティングシステムを含む。図示した例において、ディスプレイ装置110は、ユーザがベルトにクリップ留めして、運動動作中に容易に持ち運んで使用する携帯電話を含む。このタイプの構成の使用は、携帯電話110のディスプレイシステムに運動動作データを表示することができ、したがってユーザが、運動動作データを表示できるように別のディスプレイ装置全体を運ぶ必要がないため、少なくともいくつかの状況において有利である(それによって重さおよび費用が低減される)。
【００２７】
単に、検出装置102(a)〜102(d)から従来の携帯電話110への運動動作データの送信を開始し、電話110がこのデータを受信して、所望のフォーマットで(および／またはユーザが制御可能な形式またはフォーマットで)表示するように稼働することを期待することはできない。従って、図1に図示され、図2により詳細に図示されるように、本発明の少なくともいくつかの例によるシステムおよび方法は、ディスプレイ装置110に物理的に(例えば解除可能な様式で)プラグ接続され、運動動作中にディスプレイ装置110とともに持ち運ばれる電子インターフェース装置112を含むことができる。図2により詳細に示されるように、この例の電子インターフェース装置112は、このディスプレイ装置110モデル上に備えられた従来の入力ポート116に物理的にプラグ接続されて接続するコネクタシステム114を含む。インターフェース装置112のコネクタシステム114が接続する入力ポート116は、例えば、データ入力、充電、AC電源などのための従来の電子装置において使用される入力ポートと同様のデータ入力ポート(例えばパラレルポート、シリアルポート、USBポート、イヤホンまたは他のジャックまたはポートなど)のような、ディスプレイ装置110上に提供された任意のタイプの入力ポートにすることができる。コネクタシステム114は、ワイヤ、ピン、電気コネクタなどのような適した接続装置を含み、ディスプレイ装置110の入力ポート116に備えられた対応する要素との電気的接続または他の適する接続を行なう(例えばインターフェース装置112とディスプレイ装置110との間で電子的通信および／またはデータ通信を可能にする)ことができる。必要であるかまたは望ましい場合、ディスプレイ装置110とともにインターフェース装置112を固定して保持するために、ストラップ、フック、バックル、クリップ、クランプ、留め金、保定要素、機械的コネクタなどのさらなる固定要素を設けてもよい。
【００２８】
稼動中、電子インターフェース装置112は、様々な検出装置102(a)〜102(d)のような一つまたは複数の外部ソースから、例えば検出装置102(a)〜102(d)に含まれたデータ転送システム108を介してインターフェース装置112 (例えばトランシーバ装置の無線受信器、トランシーバ、赤外線受信器、光源受信器など)にまたはそれを備えたデータ受信装置またはシステム118に送信された信号を受信することができる。望ましい場合、データ転送システム108およびデータ受信システム118はそれぞれ、本発明から外れることなく、入力データを受信し、出力データを送信する性能を含んでいてもよい(当然ながら、望ましい場合、分離した送受信装置またはシステムが、検出装置102(a)〜102(d)およびインターフェース装置112の各々に備えられてもよい)。ワイヤレス通信プロトコルが、図1および2において示されるが、当然ながら、望ましい場合、検出装置102(a)〜102(d)とインターフェース装置112との間の通信の、有線接続を含む任意の所望の様式が、本発明から外れることなく使用されてもよい。センサ102(a)〜102(d)からの信号は、ディスプレイ装置110で表示および／または使用するための形式またはフォーマットにするためにインターフェース装置112において任意でデータ処理した後、コネクタシステム114 (ディスプレイ装置110の入力ポート116に物理的にプラグ接続される)を介してインターフェース装置112からディスプレイ装置110に転送される。一旦ディスプレイ装置110へ入力されると、入力データは、必要であるかまたは望ましい場合、さらに処理され、その後、ディスプレイパネル120上に所望の形式でユーザに表示することができる。
【００２９】
当然ながら、検出装置102(a)〜102(d)からの物理的または生理学的データから導き出されたデータを、ディスプレイ装置110に表示するために適した形式またはフォーマットにする任意の所望の方法が、本発明から外れることなく提供されてもよい。例として、望ましい場合、インターフェース装置112は、一つまたは複数の特定の電子装置110とともに使用するために、特に設計および／またはプログラムする(例えば、特定の装置とともに稼働し、それらの装置に適した形式およびフォーマットで出力データを提供するようにプリプログラムする)ことができる。この状況において、インターフェース装置112は、ある特定の電子ディスプレイ装置110を特に対象として市販および販売してもよい。別の選択肢として、望ましい場合、インターフェース装置112が多様な異なる電子装置110と稼働するように、例えば、インターネットから、ディスクまたは別のソースなどから、特定のディスプレイ装置110のためのディスプレイドライバおよび／またはフォーマットデータをダウンロードすることによって、後でプログラムすることができる。より具体的な例として、ユーザが、電子装置110にインターフェース装置112をプラグ接続するとき(例えば初めて)、インターフェース装置112と電子装置110との間で交換された信号により、装置が互いに特定されることができ、かつ／またはそうでなければ、一方の装置の処理システムが、インターネットなどの遠隔または外部ソースから、ディスクから、インターフェース装置112に含まれたメモリから、ドライバまたはセットアップ情報を、例えば新しく取り付けられたハードウェア(例えばマウス、プリンタ、スキャナなど)をパーソナルコンピュータ装置が認識し、かつ／または新しく追加されたハードウェアまたはソフトウェアに関連した様々なセットアップ操作を行なう様式と同じようにダウンロードすることを可能にすることができる。当然ながら、データを表示のために適した形式またはフォーマットにすることを確実にする他の方法が、本発明から外れることなく使用されてもよい。データを表示のための形式および／またはフォーマットにする処理は、本発明から外れることなく、インターフェース装置112で、ディスプレイ装置110で、および／または他の所望の構成要素で行うことができる。
【００３０】
望ましい場合、本発明の少なくともいくつかの例によれば、電子インターフェース装置112は、図2において示される図示された例で提供された、一つまたは複数のボタン122のようなユーザ入力システムをさらに含んでもよい。このユーザ入力システム122は、例えば、データ受信装置118を介して受信された入力データの処理の一つまたは複数の局面を制御し、入力データ(例えばタイミング、受信した情報のタイプ、オンデマンドデータリクエストなど)の受信を制御し、ディスプレイ装置110へのデータ出力を制御し、検出装置102(a)〜102(d)を制御するなどのために使用することができる。あるいはまたはさらに、望ましい場合、ディスプレイ装置110の入力システム(例えばボタン124、タッチスクリーン、ディジタイザ／スタイラスベースの入力など)を使用して、インターフェース装置112および／または検出装置102(a)〜102(d)もしくは検出システムに、ユーザ入力データを提供することができる(例えば、コネクタシステム114またはインターフェース装置112の他の部分が、ディスプレイ装置110から入力を受信するように設計されている場合)。さらに別の例として、望ましい場合、音声入力装置にインターフェース装置112および／またはディスプレイ装置110を備えて、例えば音声コマンドを介するユーザ入力を可能にしてもよい。他の任意の所望のタイプのユーザ入力システムを、任意のシステム要素の制御のために、および／または任意の目的のために、本発明から外れることなく備えることができる。
【００３１】
ディスプレイ装置110は、ヘッドホン、電源、ワイヤレス通信、赤外線入力または他の装置のための、例えば図2に示されたポート126および128のような、さらなる入力要素を含むことができる。望ましい場合、およびインターフェース装置112がディスプレイ装置110に取り付けられるときにこれらのポート126および128が覆われる場合、インターフェース装置112は、ポート126および128と類似した外部ポートを装備していてもよく、インターフェース装置112に内部回路を備えて、ユーザがインターフェース装置112に同じさらなる装置をプラグ接続して、それらをディスプレイ装置110にプラグ接続して同じ機能をさらに利用できるようにすることを可能にすることができる(例えば、それによって、必要なデータ、信号、および／または情報が、インターフェース装置112を通って、ユーザにおよび／またはディスプレイ装置110に届くことが可能になる)。
【００３２】
図3は、本発明の少なくともいくつかの例による電子インターフェース装置112に含むことができる様々な例の構成要素の概略図を含む。図3に示され、および図1および2に関連して上に記述したように、インターフェース装置112は、ディスプレイ装置に物理的に接続するための接続システム114と、運動動作データを検出するためのセンサ、コンピュータ、ネットワーク、または他の処理システムなどのような外部ソースから入力データを受信するためのデータ受信システム118 (例えばワイヤレスデータ受信装置またはトランシーバ、赤外線受信器など)とを含むことができる。さらに、図3に示されるように、インターフェース装置112は、例えばキー、タッチスクリーン、ディジタイザ、音声入力、スタイラス入力などを介してユーザ入力を受信するための入力システム122を含むことができる。
【００３３】
本発明の少なくともいくつかの例によれば、電子インターフェース装置112は、様々な操作を行なうための、例えば電子インターフェースを操作し、外部データソースと相互作用し、一つまたは複数のソースからユーザ入力を受信する(例えば入力システム122を介して、コンピュータまたはネットワーク接続などを介して)ための、および／またはディスプレイ装置と相互作用する(例えば接続システム114に含まれるワイヤまたはピン接続302を通してディスプレイ装置に供給された出力を介して)ための処理システム、例えばマイクロプロセッサ300をさらに含むことができる。当然ながら、任意の数のワイヤ、ピンまたは他の接続が、接続システム114を介して備えられ、インターフェース装置112と外部ディスプレイ装置(例えば携帯電話、PDA、または公知であり市販されている従来の電子装置を含む他のポータブル電子装置に備えられた接続システム等)との間で適する電子／データ通信を提供することができる。コネクタシステム114は、ディスプレイ装置と適合するように設計されてつながれ、インターフェース装置112とディスプレイ装置(例えば装置110)との間の電子／データ通信のためのパスを提供することができる。さらに、望ましい場合、本発明の少なくともいくつかの例によれば、マイクロプロセッサ300は、オペレーティングシステムソフトウェアを含んでいてもよく、かつ／または検出装置からの入力データを処理して、データを、ディスプレイ装置での受信、使用、および／または表示に適した形式に変換し、データ形式またはフォーマットを変更し、生の入力データに基づいて計算を行なうなどすることができる。
【００３４】
図3は、電子インターフェース装置112の一部として含まれる電源装置304をさらに図示する。この電源装置304は、電子技術において一般に公知であり使用されるような、従来のバッテリ、例えば充電式バッテリを含むことができる。あるいはまたはさらに、望ましい場合、電源装置304は、それが取り付けられるディスプレイ装置から(例えば入力ピン、ワイヤまたはライン306もしくは他の接続システムを介して)電力入力を受信し、ディスプレイ装置からの電力源を使用して、インターフェース装置112の様々な要素および構成要素(例えばマイクロプロセッサ300、データ受信システム118、入力システム122、任意の動作ライトまたはディスプレイなど)を稼働させることができる。さらに別の例として、望ましい場合、電源304は、AC電源、バッテリ電源などのような外部電源に接続してもよい。
【００３５】
望ましい場合、図3に図示された様々な部分のいくつかまたはすべてが、ハウジングシステム308内にまたはその上に実装され、収容され、または包含されるか、またはそうでなければ使い勝手のよいモジュールまたはパッケージとして形成されてもよい。接続システム114は、ハウジング308から少なくとも部分的に拡張することができ、ハウジング308の一部として一体形成することができ、ハウジング308に固定された(例えば接着剤、コネクタなどによって)分離した要素にすることができ、またはそうでなければハウジングシステム308で利用可能であるおよび／またはそれに含むことができる。
【００３６】
図4は、本発明の少なくともいくつかの例による、運動動作監視システム400全体の概略図を図示する。このシステム400において、電子インターフェース装置402は、例えば固定されるが解除可能な様式で(例えば摩擦係合、つめ、保定要素などを介して)二つの装置を一緒に保持する機械的接続システム406を介して、ポータブル電子ディスプレイ装置404に物理的にプラグ接続される。任意で、望ましい場合、他の独立した固定要素(例えばフック、ストラップ、スナップ、クリップ、クランプ、締め金、保定要素など)を備えて、ポータブル電子ディスプレイ装置404にインターフェース装置402を保持することを少なくとも部分的に支援することができる。
【００３７】
この例のシステム400は、運動動作データを測定および送信するための検出システム408をさらに含む。より具体的には、この構造例では、運動動作データ(例えば運動動作に関連した物理的または生理学的データ)は、センサAおよびBによって検出され、これらのセンサからのデータは、検出システムの処理システム、例えばマイクロプロセッサに送られて、任意で、データを格納させ(例えばストレージシステムまたはメモリ(図4に図示せず)に)、さらに処理させるなどすることができる。分離した電源を備えて、センサ、マイクロプロセッサ、データ転送システム410、メモリ、および／または任意の他の必要であるかまたは所望の構成要素のような、検出システム408の様々な構成要素を稼働させることができる。望ましい場合、検出システム408に搭載されたマイクロプロセッサがもしあれば、センサデータを処理し、形式またはフォーマットを変更し、またはそうでなければシステム400にまたはその他の部分に送るのに先立って、そのデータを操作することができる。
【００３８】
適切なまたは所望のときに(例えばデータリクエストが、周期的に、自動的に、ユーザ要求に従って受信された場合など)、検出システム408は、例えばディスプレイ装置404上でユーザに、最終的に表示するために、データ(例えばセンサの一つまたは複数からの直接の生データ、生データから少なくとも部分的に導き出されたデータなど)の少なくとも一部を、電子インターフェース装置402に送ることができる。これは、例えば、図4に示されるように、ワイヤレスデータ送信システムを介して(例えば検出システム408のワイヤレスデータ転送または送信要素410から、電子インターフェース装置402のワイヤレスデータ受信要素412に)、または本発明から外れることのない任意の他の所望の様式で達成することができる。任意の所望のワイヤレスプロトコル、放送プロトコル、または他のデータ送信プロトコルが、本発明から外れることなく使用されてもよい。
【００３９】
運動動作データは、一旦電子インターフェース装置402で受信されると、必要であるかまたは望ましい場合、さらに処理されて、その後、ディスプレイ装置404の処理システム(例えばマイクロプロセッサ)に供給することができる。これは、本発明から外れることなく、任意の所望のときまたはタイミングで(例えばデータリクエストが自動的に、周期的に、ユーザ要求で受信されるときなど)達成することができる。そこから、必要であるかまたは望ましい場合、データをさらに処理して、その後、ユーザへの提示およびユーザによる目視に適した形式でディスプレイ画面414に送ることができる(例えばオーディオ、ビデオおよび／または英数字形式などで)。
【００４０】
この図示した例のシステム400では、電子インターフェース装置402用の電力は、接続システム406を介した電源416への接続418で示されるように、ディスプレイ装置404を稼働させるために使用される電源416(例えば携帯電話または他のポータブル電子装置の充電式バッテリでありうる)を介して供給される。この例におけるインターフェース装置402の「電力」要素424を使用して、外部電源(例えばこの例におけるディスプレイ装置404の電源416)から、インターフェース装置402の様々な構成要素に、単に電力を分配することができる。あるいは、例えば、インターフェース装置402の内部配線によって、インターフェース装置402のすべての要求された構成要素に電源416からの電力の転送が可能になる場合、電力要素424は省略されてもよい。さらに、このシステム例400において、ユーザ入力を、ポータブルディスプレイ装置404に備えられた入力システム420を介して、電子インターフェース装置402を制御するために供給することができる。例えば、望ましい場合、ユーザは、電子インターフェース装置402の様々な特徴、機能または特性を制御することができるディスプレイ装置404上に備えられた入力を介して、特定の稼働モードを入力することができる。さらにもしくはまたは、望ましい場合、電子インターフェース装置402は、本発明から外れることなく、例えば図3に関連して上に記述されたような、自らの入力システムおよび／または自らの電源を含むことができる(しかし、これらのディスプレイ装置404からの構成要素および資源を利用することは、インターフェース装置402の全体のサイズ、重さおよび費用を低減することを支援する)。
【００４１】
当然ながら、図4に示された要素または構成要素のいくつかまたはすべてを含む様々な要素または構成要素の多くの異なる構成が、本発明から外れることなく使用されてもよい。さらに、追加の構成要素もしくは要素がそのようなシステムに含まれていてもよく、または図示されたシステムもしくは構成要素の一つまたは複数が、本発明から外れることなく除去されてもよい。さらに、望ましい場合、単一の電子インターフェース装置402およびディスプレイ装置404を同時に稼働可能に接続して、例えば参照番号408で示されたタイプの複数の独立した検出システムから入力されたデータを受信することができる(例えば、図1の構成を参照)。様々なシステムの全体構造、構成要素、およびアーキテクチャにおける多くの変形が、本発明から外れることなく可能である。
【００４２】
本発明の少なくともいくつかの例によるシステムおよび方法の一つ潜在的利点は、既存のポータブル電子ディスプレイ装置(例えば携帯電話、MP3プレーヤ、PDAなど)の構成要素およびインフラストラクチャを活用し、接続されて電子的に連絡している電子インターフェース装置と組み合わせて使用して、ユーザが別の電子ディスプレイ装置を取得して持ち運ぶ必要なく、この既存の電子装置に運動動作データをさらに表示して、ユーザに提供することを可能にすることができるという事実にある。上に言及されたように、表示のために使用される既存の電子装置の入力システムおよび／または電源を活用することで、インターフェース装置のサイズ、重さ、費用、および複雑さをさらに低減することができ、それによってさらなる利点が提供される。
【００４３】
運動動作検出システムは、本発明から外れることなく、多様な異なる環境において設けることができる。例えば、図4に図示されたように、望ましい場合、運動動作に関連したデータ(例えば物理的または生理学的データ)を検出するための一つまたは複数のセンサを、ハウジング422に、任意でデータ転送システム(例えばワイヤレス送信またはトランシーバ装置410)、および／または他の処理または電子構成要素の少なくとも一部とともに備え、例えば運動動作データ検出モジュールまたはシステム408を提供することができる。モジュールとして備えられるか、またはそうでなければ分離した要素として備えられた場合、これらの運動動作検出システム(例えば408)の部分は、例えばデータ検出、処理および／または送信性能が位置決めによって損なわれないことを前提として、本発明から外れることなく、任意の所望の位置に備えることができる。図5は、運動動作検出モジュール502が運動靴品504に実装されたシステム例500を図示する。検出モジュール502は、例えば、一つまたは複数の運動動作データセンサ、データ転送システム、処理性能、電源など(例えば図4に示されるシステム408等)を含むことができる。履物品504の中にまたはその上に検出モジュール502を実装する任意の所望の様式が、例えばスロットまたはチャンバを介して、実装用ポケットまたは要素を介して、ストラップ、接着剤、機械的コネクタ、面ファスナ、保定要素を介して、ユーザが取り外し可能な接続を介してなどで、本発明から外れることなく提供されてもよい。または、望ましい場合、検出モジュール502は、例えば履物製造中に履物品504の一部として一体形成されても、および／もしくはそれに永続的に固定させてもよい。
【００４４】
図5にさらに示されるように、検出モジュール502は、インターフェース装置506とワイヤレス(または他の)連絡をしていてもよく、インターフェース装置は次に、図5に図示されるような携帯電話等のディスプレイ装置508に物理的に接続される。このディスプレイ装置508を、ユーザの身体、衣類、または用具に取り付けて、例えば運動動作中に容易に持ち運び、移動させ、および／または目視することができる。一般に、図1〜4に関連して上に記述されたタイプの、任意の様々な運動データ動作検出システム、電子インターフェース装置、および／またはポータブル電子ディスプレイ装置を、本発明から外れることなく使用することができる。より具体的な例として、望ましい場合、検出モジュール502を搭載した検出装置は、ステップ回数データを提供することができ、電子インターフェース装置506は、このデータを、任意でタイミングデータとともに処理して、ディスプレイ装置508に表示するための歩数計型の速度および／または距離データを提供することができる。当然ながら、検出モジュール502によって、任意のタイプのデータを提供することができ、任意の所望のタイプの情報を、本発明から外れることなくディスプレイ装置508に表示することができる。
【００４５】
図6は、本発明の少なくともいくつかの例によるシステム600の使用における、別の構成および／または環境を図示する。この例において、検出装置602は、運動動作データを測定するための一つまたは複数の個別のセンサ要素を含み、衣類の中にまたはその上に、例えばベルトまたはバンド606に備えられたポケットまたは他の取り付け要素604中に実装される。ベルトまたはバンド606もしくは他の衣類は、ユーザの身体(例えば腕、腰、胸、脚、頭など)に取り付けることができ、検出装置602に搭載されたセンサ要素が、所望のデータ(例えばステップ回数、速度、距離、衝撃力等の運動動作に関連した物理的データ、または心拍数、脈拍数、空気吸入／放出量または速度、体温、血圧、EKGデータ、EEGデータ等の生理学的データなど)を測定するように配設することができる。測定されたデータは、電子インターフェース装置608に、任意で最初の処理の後に送信することができ、次に、入力されたデータをさらに処理し、ユーザに表示するためにそれをディスプレイ装置610に転送することができる。
【００４６】
図7は、本発明の少なくともいくつかの例による電子インターフェース装置700の別の例を図示する。この装置例700は、図3に示された電子インターフェース装置112に類似しており、接続システム114 (例えばディスプレイ装置(図示せず)に物理的に接続するため)、入力システム122、マイクロプロセッサ300、データ出力接続ピンまたはワイヤ302、電源304、および電源接続ピンまたはワイヤ306を含む。これらの要素のすべてまたはいくつかは、共通ハウジング部材702の中かまたはその上に、共通基板上に実装することができ、および／または互いに稼働可能に接続されるかまたは関連することができる。装置700が、図3に示されるものと異なる点は、図7の装置700は、電子インターフェース装置700に直接搭載された運動動作監視センサ704を含むことである。センサ704は、運動動作に関連した任意の所望のタイプの物理的または生理学的データ、例えばステップ回数データ(例えば歩数計型の速度および／または距離監視用)、方向データ(例えばコンパスなどを介する)、脈拍数データ、GPSデータなどを検出することができる。インターフェース要素700にセンサ704を直接搭載および／またはそうでなければその一部として設けることによって、分離した外部センサ要素およびワイヤレスデータ送信および／または受信システム(または他の外部データ送信または受信性能)は、運動動作監視システム全体から除去することができる(図7に示されるように、センサ要素704は、インターフェース要素700に含まれた処理システム300と直接配線するか、固定結線するか、またはそうでなければ連絡していてもよい)。
【００４７】
またはもしくはさらに、望ましい場合、図7に示されるように、インターフェース要素700は、さらにデータ受信システム118を備えて、例えば他のセンサ(さらなる運動動作センサ等)、外部データソース、コンピュータ、ネットワーク、または他の処理システム、および／または例えば他の別個の装置またはシステムとの通信を可能にし、データ入力を可能にすることができる。そのようなシステム700は、少なくとも、インターフェース要素700に直接搭載されるものを含む、様々な異なるソースからデータを受信するための柔軟性を有する。
【００４８】
図8は、図7のシステムを使用することができる例の構成および／または環境を図示する。図8に示されるように、この例の運動動作監視システム800は、従来の携帯電話またはPDAのようなディスプレイ装置802に接続された電子インターフェース装置700を含む。次いで、組み合わせられたシステム800は、ユーザの衣料に取り付けられ(例えばベルトまたはウエストバンドへ留められ)、ユーザは運動動作を始める。動作中に、インターフェース装置700のセンサは、運動動作データを検出し(例えば加速度計またはステップ回数情報を検出する他の装置)、その後、このデータを利用して、ディスプレイ装置802のディスプレイ画面に表示される歩数計型の速度および／または距離情報を提供することができる。この様式において、ユーザの履物、衣類、または用具に、ディスプレイ装置に入力データを提供するためのワイヤレスまたは他の方法で電子インターフェース装置と連絡している検出装置またはモジュールを、別個に装備することは必要ではない。当然ながら、上に言及されたように、任意のタイプのデータを、本発明から外れることなく検出および／または表示することができる。
【００４９】
上に記述された具体的なシステム例は、主として、その様々な部分(例えば検出システム、電子インターフェース装置および／またはディスプレイ装置)が、使用中にユーザによって直接携行される様々な要素に取り付けられ、および／またはそれに一体化されるシステムに関する。しかし、本発明の少なくともいくつかの例によるシステムおよび方法は、個人に携行されるセンサのような個人携行品に限定されない。図9は、運動用具に、一つまたは複数の検出装置902が配置されるかまたは設けられるシステム例900を図示する。より具体的には、図9に図示された例において、検出装置902は、自転車または他の車輪906のフォーク904に実装される。この構造例900において、車輪906は、磁気源、光源またはその他の放射線源、または他の要素908 (例えばタイヤのリムに実装された)を含み、このソース908は、車輪906が回転すると、検出装置902の一部として提供された対応するセンサ910によって検出される。ソース908がセンサ910を通過する回数は、速度および／または距離データに変換することができ、この情報(または生の車輪回転数)は、処理するため、格納するため、および／または携帯電話、PDA、時計などのディスプレイ画面のような電子ディスプレイ装置914上に表示するために、電子インターフェース装置912に(例えばワイヤレスまたは他の方法で)供給することができる。当然ながら、本発明から外れることなく、任意のタイプのデータを測定することができ、任意の所望のタイプの情報を、ディスプレイ装置914に表示することができる。ディスプレイ装置は、ユーザによって持ち運ばれ、用具(例えば自転車のハンドルバー上に)に実装され、および／または他の方法でユーザが利用できるようにしてもよい。
【００５０】
当然ながら、様々なタイプの検出装置を、多様な異なるタイプの用具(例えば運動用具)に設けることができ、それらの検出データ(またはそこから導き出されたデータ)は、本発明のさらなる例による電子インターフェース装置へ転送されてもよい。そのようなセンサを有することができるタイプの装置の例は、野球またはソフトボール用バット、ゴルフクラブ、クリケット用バット、テニスラケット、ホッケースティックなどのように振り動かされる運動用具(例えばスイング速度、投射物の発射速度、角度、または方向、および／または他のスイングおよび／または投射物の相互作用特性などを測定および表示するため)；ボール；野球用グローブ；ホッケー用具；ひざ当ておよび他のバッド用具のような衝撃減衰装置；ボクシング用具；ボート漕ぎまたはカヤック用具；スキー用具などを含むが、これらに限定されない。
【００５１】
III. 結論
本発明を実施する現在好ましい形態を含む具体例に関連して本発明を記述してきたが、当業者は、上に記述されたシステムおよび方法の多くの変形および置換が存在することを認識すると考えられる。例えば、本発明から外れることなく、本発明の様々な局面が、異なる組み合わせで使用されてもよく、本発明の局面の様々な異なる下位の組み合わせがともに単一のシステムまたは方法で使用されてもよい。また、上に記述された様々な要素、構成要素、および／またはステップが、変更され、順番を変更され、省略されてもよく、かつ／またはさらなる要素、構成要素および／またはステップが、本発明から外れることなく加えられてもよい。したがって、本発明は、添付の特許請求の範囲において述べられるように広く解釈されるべきである。
【図面の簡単な説明】
【００５２】
本発明のより完全な理解およびその少なくともいくつかの特徴および利点は、次の記述および添付図面を参照することによって取得することができ、同様の参照番号は、全体を通して同様の特徴を示す。
【図１】本発明の様々な局面および特徴を使用することができるシステム例および環境例を図示する。
【図２】本発明の少なくともいくつかの例による電子インターフェース／ディスプレイ装置の組み合わせ例を図示する。
【図３】本発明による電子インターフェース装置の一例において提供された構成要素を示す概略図を図示する。
【図４】本発明による運動動作監視システムの一例において提供された構成要素を示す概略図を図示する。
【図５】本発明による、運動動作データセンサまたは収集装置が履物品に実装された運動動作監視システムの例を図示する。
【図６】本発明による、運動動作データセンサまたは収集装置が衣料品に実装された運動動作監視システムの例を図示する。
【図７】本発明による、電子インターフェース装置の別の例において提供された構成要素を示す概略図を図示する。
【図８】図7の電子インターフェース装置の様々な局面および特徴を使用することができるシステム例および環境例を図示する。
【図９】本発明による、運動動作データ収集システムが運動用具の部分に実装された運動動作監視システムの例を図示する。
【図１】
2009502325.tif 000004
【図２】
2009502325.tif 000005
【図３】
2009502325.tif 000006
【図４】
2009502325.tif 000007
【図５】
2009502325.tif 000008
【図６】
2009502325.tif 000009
【図７】
2009502325.tif 000010
【図８】
2009502325.tif 000011
【図９】
2009502325.tif 000012
【国際調査報告】
2009502325.tif 000013
2009502325.tif 000014
2009502325.tif 000015